(57)【特許請求の範囲】
【請求項１】
頭部の廻りに沿うように湾曲させた帯材（１）の両端部を互いに連結自在にすると共に、該帯材（１）の下縁部から放射状に広がるひさし（２）を設けたサンバイザーにおいて、前記ひさし（２）に複数本の弾性モノフィラメント（４）を縫い込み、これら弾性モノフィラメント（４）の中間部を前記帯材（１）の湾曲に沿わせると共に、該弾性モノフィラメント（４）の両端部をそれぞれ前記ひさし（２）の内縁部に向けて屈曲させ、該弾性モノフィラメント（４）の端末を前記ひさし（２）の内縁部の湾曲線に交差させるように配置し、前記ひさし（２）の内縁部の少なくとも前記弾性モノフィラメント（４）の端末が交差する部分を補強布（６）で被覆したサンバイザー。
【請求項２】
前記帯材（１）の下縁部に滑り止め布（５）を取り付け、該滑り止め布（５）を前記帯材（１）の内周側へ折り返し、前記弾性モノフィラメント（４）の端末を前記帯材（１）と前記滑り止め布（５）との間に配置した請求項１に記載のサンバイザー。
【発明の詳細な説明】
【０００１】
【発明の属する技術分野】
本発明は、放射状に広がるひさしを設けたサンバイザーに関し、さらに詳しくは、コンパクトに折り畳んでもひさしに皺を生じることなく元の形状に復元することを可能にしたサンバイザーに関するものである。
【０００２】
【従来の技術】
サンバイザーは、頭部の廻りに沿うように湾曲させた帯材の両端部を互いに連結自在にすると共に、該帯材の下縁部から幅広に放射状に広がるひさしを設けた構成になっている。このように構成されるサンバイザーにおいて、ひさしは帯材から突き出した状態に形状保持する必要があるため、通常、硬質の板材から構成されている。例えば、ひさしの材料として、プラスチック板を使用したり、厚紙板を布で被覆した複合材を使用するのが一般的である。
【０００３】
一方、サンバイザーは嵩張った構造を有しているので、運搬時にコンパクトに折り畳んだり、或いはポケット等にねじ込んだりすることが可能であれば便利である。
【０００４】
しかしながら、従来のサンバイザーは上述したようにひさしがプラスチック板や厚紙板から構成されているので、無理にコンパクトに折り畳んだりすると、ひさしが永久変形して外観が悪化し、場合によってはひさしが損傷してしまうという問題があった。また、ひさしを布材だけから構成した場合、剛性が不足するため、ひさしを帯材から突き出した状態に形状保持することが困難であるばかりか、折り畳んだ後に元の形状に復元しても皺が形成されてしまうという問題があった。
【０００５】
【発明が解決しようとする課題】
本発明の目的は、コンパクトに折り畳んでもひさしに皺を生じることなく元の形状に復元することを可能にしたサンバイザーを提供することにある。
【０００６】
また、本発明の他の目的は、弾性モノフィラメントを利用してひさしの形状を保持する場合に、頭部に圧痛感を与えないようにしたサンバイザーを提供することにある。
【０００７】
【課題を解決するための手段】
上記目的を達成するための本発明のサンバイザーは、頭部の廻りに沿うように湾曲させた帯材の両端部を互いに連結自在にすると共に、該帯材の下縁部から放射状に広がるひさしを設けたサンバイザーにおいて、前記ひさしに複数本の弾性モノフィラメントを縫い込み、これら弾性モノフィラメントの中間部を前記帯材の湾曲に沿わせると共に、該弾性モノフィラメントの両端部をそれぞれ前記ひさしの内縁部に向けて屈曲させ、該弾性モノフィラメントの端末を前記ひさしの内縁部の湾曲線に交差させるように配置し、前記ひさしの内縁部の少なくとも前記弾性モノフィラメントの端末が交差する部分を補強布で被覆したことを特徴とするものである。
【０００８】
このようにひさしに複数本の弾性モノフィラメントを縫い込むに当たって、これら弾性モノフィラメントを中間部では帯材の湾曲に沿わせるが、両端部ではひさしの内縁部に向けて屈曲させ、かつ端末を該内縁部の湾曲線に交差させるように配置したことにより、弾性モノフィラメントの高い弾性力に基づいて、ひさしを帯材から突き出した状態に形状保持すると共に、サンバイザーを小さく折り畳んでコンパクトに収納しても、その拘束状態を解除してやれば、ひさしを弾性モノフィラメントの弾性回復力によって皺を生じることなく簡単に元の形状に復元させることができる。
【０００９】
また、上記のように弾性モノフィラメントの端末をひさしの内縁部の湾曲線に交差させるように配置すると、その端末が頭部を押圧して圧痛感を与えることがある。このような圧痛感は、帯材の下縁部に滑り止め布を取り付け、該滑り止め布を帯材の内周側へ折り返し、弾性モノフィラメントの端末を帯材と滑り止め布との間に配置することにより軽減することができる。更に好ましくは、ひさしの内縁部の少なくとも弾性モノフィラメントの端末が交差する部分を補強布で被覆すると良く、これにより圧痛感を殆ど解消することができる。
【００１０】
【発明の実施の形態】
以下、本発明を図に示す実施形態を参照して具体的に説明する。
図１〜図６は本発明の実施形態からなるサンバイザーを例示するものである。図において、本発明のサンバイザーは、頭部の廻りに沿うように湾曲させた帯材１に対し、その下縁部から放射状に広がるひさし２を縫合した構成になっている。帯材１の両端部１ａ，１ａには雌雄一対の面ファスナー３が取り付けられており、この面ファスナー３により帯材１の周長を頭部の大きさに応じて調整しながら両端部１ａ，１ａを互いに連結するようになっている。両端部１ａ，１ａの連結手段としては、上述のような面ファスナーを用いることが好ましいが、それ以外にボタンやフック等を用いても良い。また、帯材１はファッション性を考慮して図示のように外側面に複数段のタックを付けた構造であっても良い。
【００１１】
上記サンバイザーにおいて、ひさし２には複数本の弾性モノフィラメント４が縫い込まれている。より具体的には、図４〜図６に示すように、ひさし２は２層の布帛から構成され、その層間に挿入した弾性モノフィラメント４をその左右両側で長手方向に沿って縫い付けた構造になっている。これら弾性モノフィラメント４はその中間部が帯材１の湾曲に沿って延長するように配列し、その両端部がそれぞれひさし２の内縁部に向かって屈曲している。しかも、弾性モノフィラメント４の全ての端末４ａはひさし２の内縁部の湾曲線に交差するように配置されている。
【００１２】
上記サンバイザーは、ひさし２に複数本の弾性モノフィラメント４を帯材１の湾曲に沿わせて縫い込んだ構造を有しているので、小さく折り畳んでコンパクトに収納しても、その拘束状態を解除してやれば、弾性モノフィラメント４の弾性回復力によって皺を生じることなく簡単に元の形状に復元することができる。
【００１３】
本発明において、弾性モノフィラメント４の中間部を帯材１の湾曲に沿わせると共に、その両端部をそれぞれひさし２の内縁部に向けて屈曲させ、かつ端末４ａを内縁部の湾曲線に交差させるように配置することが必要である。このように弾性モノフィラメント４の端末４ａをひさし２の内縁部に交差させるように配置することにより、サンバイザーの不完全な環状構造においても弾性モノフィラメント４に張りを与えることができるので、弾性モノフィラメント４に弾性力を高めると共に、ひさし２の帯材１からの突き出し形状を安定させることが可能になる。
【００１４】
弾性モノフィラメント４の材料としては、弾性を有するものであれば特に限定されることはないが、ナイロン、ポリエチレン、ポリプロピレン等のプラスチックを使用することができ、特にナイロンは最適である。このようなプラスチックは適度な弾性を有すると共に、金属のように腐食しないためサンバイザーをそのまま洗濯することができる。しかも、たとえ弾性モノフィラメント４に変形を生じても低温アイロンで再び元の形状に成形することが可能である。
【００１５】
また、弾性モノフィラメント４の材料として、トウモロコシ等の澱粉から得られる乳酸を原料としたポリ乳酸繊維を使用しても良い。このポリ乳酸繊維は適度な弾性を有するばかりでなく、廃棄時に土中や海水に投入してコンポスト化されるとバクテリア等の微生物により完全にかつ安全に二酸化炭素と水に分解されるので、環境保護の視点から好ましい材料である。これら弾性モノフィラメント４の直径は０．８〜２．０ｍｍの範囲にすることが好ましい。弾性モノフィラメント４の太さを上記範囲に設定すると、ひさし２に良好な弾性回復力を与えることができる。
【００１６】
図４に示すように、帯材１の下縁部にはひさし２と共に滑り止め布５が縫合され、この滑り止め布５が帯材１の内周側へ折り返されている。滑り止め布５はメッシュ状の粗い織り構造を有し、サンバイザーの位置ずれを防止するように作用する。また、ひさし２の内縁部は帯材１と滑り止め布５との間に縫い込まれており、それにより弾性モノフィラメント４の端末４ａが帯材１と滑り止め布５との間に配置されている。このように弾性モノフィラメント４の端末４ａと頭部との間に滑り止め布５を介在させることにより、弾性モノフィラメント４の端末４ａが頭部に直接接触することはないので、サンバイザーを被ったときに圧痛感や違和感を殆ど感じることはない。
【００１７】
更に、図４〜図６に示すように、ひさし２の内縁部には全長にわたって補強布６が縫い付けられており、その内縁部が補強布６によって被覆されている。ひさし２の内縁部を補強布６で被覆することにより、弾性モノフィラメント４の端末４ａが頭部側に突出することを確実に防止し、サンバイザーの耐久性を向上すると共に、弾性モノフィラメント４の端末４ａによる圧痛感や違和感を更に軽減することができる。
【００１８】
【発明の効果】
以上説明したように本発明によれば、頭部の廻りに沿うように湾曲させた帯材の両端部を互いに連結自在にすると共に、該帯材の下縁部から放射状に広がるひさしを設けたサンバイザーにおいて、ひさしに複数本の弾性モノフィラメントを縫い込み、これら弾性モノフィラメントの中間部を帯材の湾曲に沿わせると共に、該弾性モノフィラメントの両端部をそれぞれひさしの内縁部に向けて屈曲させ、該弾性モノフィラメントの端末をひさしの内縁部の湾曲線に交差させるように配置し、ひさしの内縁部の少なくとも弾性モノフィラメントの端末が交差する部分を補強布で被覆したから、弾性モノフィラメントの高い弾性力に基づいてひさしの形状保持を可能にし、しかも運搬時や収納時にサンバイザーをコンパクトに折り畳んでも、ひさしに皺を生じることなく元の形状に復元することができる。
【００１９】
また、帯材の下縁部に取り付けた滑り止め布を帯材の内周側へ折り返し、弾性モノフィラメントの端末を帯材と滑り止め布との間に配置したり、或いはひさしの内縁部の少なくとも弾性モノフィラメントの端末が交差する部分を補強布で被覆することにより、上述のように弾性モノフィラメントを利用してひさしの形状を保持する場合であっても、頭部への圧痛感を軽減することができる。
【図面の簡単な説明】
【図１】本発明の実施形態からなるサンバイザーを示す正面図である。
【図２】図１に示すサンバイザーの背面図である。
【図３】図１に示すサンバイザーの底面図である。
【図４】図３のＸ−Ｘ矢視断面図である。
【図５】図３のＡ部におけるひさしの構造を示す平面図である。
【図６】図３のＢ部におけるひさしの構造を示す平面図である。
【符号の説明】
１  帯材
１ａ  両端部
２  ひさし
３  面ファスナー
４  弾性モノフィラメント
４ａ  端末
５  滑り止め布
６  補強布
【図１】
0003854742.tif 000002
【図２】
0003854742.tif 000003
【図３】
0003854742.tif 000004
【図４】
0003854742.tif 000005
【図５】
0003854742.tif 000006
【図６】
0003854742.tif 000007